(57)【特許請求の範囲】
【請求項１】
直方体の室外機（１）の上部に装着される上部梱包部材（５０）を備えた空気調和機用の梱包部材であって、
前記室外機（１）は、長手方向の１辺を成す背面に沿って室外側熱交換器（１６）が配置されるとともに、この室外側熱交換器（１６）の前方に、底板（２１）から立設されて天板（２２）に至るファンモータ台（１８）を有し、
前記上部梱包部材（５０）は、室外機（１）の長手方向の側部の上部に嵌め込まれる凹部（６２，６３）が形成され、この凹部（６２，６３）の底面の少なくとも一部において天板（２２）と当接するように形成された一対の端部緩衝部材（５８，５９）と、前記ファンモータ台（１８）の上方の部分においてのみ天板（２２）に当接するように形成された中央緩衝部材（７１）とを備えている
ことを特徴とする空気調和機用の梱包部材。
【請求項２】
請求項１記載の空気調和機用の梱包部材において、
前記ファンモータ台（１８）は、前記室外側熱交換器（１６）の前方において底板（２１）から立設される柱状部材（１８２）と、この柱状部材（１８２）の上端に取り付けられるとともに、この柱状部材（１８２）の上方部から後方へ延びる、上面が平面の平板状部材（１８３）を備え、前記中央緩衝部材（７１）は、この平板状部材（１８３）における前面側部分の上方部分において天板（２２）に当接されるように形成されている
ことを特徴とする空気調和機用の梱包部材。
【請求項３】
請求項２記載の空気調和機用の梱包部材において、
前記中央緩衝部材（７１）は、この平板状部材（１８３）における上面の縁部内側の中央部分の上方部においてのみ、天板（２２）と当接するように形成されている
ことを特徴とする空気調和機用の梱包部材。
【請求項４】
請求項２又は３記載の空気調和機用の梱包部材において、
前記ファンモータ台（１８）における平板状部材（１８３）は、室外側熱交換器（１６）の背面側において、天板（２２）における下方に折り曲げられた垂下片部（２２ｂ）に結合されている
ことを特徴とする空気調和機用の梱包部材。
【請求項５】
請求項１〜４の何れか１項記載の空気調和機用の梱包部材において、
前記上部梱包部材（５０）は、前記一対の端部緩衝部材（５８，５９）間を接続する連結部材（６０，６１）を有し、
この連結部材（６０，６１）は、前記ファンモータ台（１８）の上方を通過するように形成され、この連結部材（６０，６１）におけるファンモータ台の上方を通過する部分が前記中央緩衝部材（７１）として形成されている
ことを特徴とする空気調和機用の梱包部材。
【請求項６】
請求項５記載の空気調和機用の梱包部材において、
前記連結部材（６０，６１）は、複数の部材からなり、
前記中央緩衝部材（７１）は、前記複数の連結部材のうちの一部の連結部材（６０，６１）に形成されている
ことを特徴とする空気調和機用の梱包部材。
【請求項７】
請求項１〜６の何れか１項に記載の空気調和機用の梱包部材において、
前記上部梱包部材は、前記端部緩衝部材（５８，５９）および中央緩衝部材（７１）を適切な位置に配置収納する上トレー部材（５１）を有する
ことを特徴とする空気調和機用の梱包部材。
【発明の詳細な説明】
【技術分野】
【０００１】
本発明は、空気調和機用の梱包部材に関し、特に、空気調和機用の梱包部材における上部梱包部材の構造に関する。
【背景技術】
【０００２】
空気調和機用の梱包部材、特に略直方体の室外機用の梱包部材としては、特許文献１、特許文献２および特許文献３等に見られるように、一般に、室外機の上部を保護するための上部梱包部材と、室外機の下部を保護するための下部梱包部材とを備えている。また、上部梱包部材は、下面が開放された上トレー部材と、この上トレー部材に収納される上緩衝部材とから形成され、下部梱包部材は、上面が開放された下トレー部材と、この下トレー部材に収納される下緩衝部材とから形成されていた。
【０００３】
上記従来の梱包部材において、上緩衝部材は、略直方体の室外機の長手方向の上部の端部形状に嵌め込まれる凹部が形成された樹脂製の部材であった。また、従来の空気調和機用の梱包部材は梱包部材が室外機の長手方向上部の端部のみを覆うように形成されているが、これは上緩衝部材を小型化することにより加工費を軽減することにあった。なお、下緩衝部材も、上部に配置される端部緩衝部材と同様の設計思想に基づき略直方体の室外機の長手方向の下部の端部形状に嵌め込まれる凹部が形成された樹脂製の部材として形成されていた。
【０００４】
そのため、従来の空気調和機用の梱包部材は、梱包部材により梱包された室外機が倉庫等において段積みされた場合に、上方から下方に向けて作用する荷重（以下これを垂直荷重という）を受け、これを、略直方体の室外機の端部において天板と当接する当接面分から天板に作用させていた。また、天板に加えられた垂直荷重は、天板を支持する前後左右の外周壁面を構成する外板に加えられていた。このように、従来の空気調和機用の梱包部材は、室外機の長手方向の端部において垂直荷重を受け、この荷重を天板を介し外周壁面を構成する外板のみにより支持させる構造となっていた。
【先行技術文献】
【特許文献】
【０００５】
【特許文献１】特開２００３−９５３６９号公報
【特許文献２】特開２００８−８１１９９号公報
【特許文献３】特開２００４−２１７３０７号公報
【特許文献４】特開２００９−１３８９５１号公報
【発明の概要】
【発明が解決しようとする課題】
【０００６】
ところで、略直方体の室外機は、例えば特許文献４に記載のように多くの場合に、長手方向の１辺を成す背面に沿って室外側熱交換器が配置され、さらに、この室外側熱交換器の長手方向中央部前面側にファンモータ台が取り付けられていた。また、このファンモータ台は、一般に、室外側熱交換器の上端面を固定するために底板から天板に至る高さを有するとともに、運転中のファンを振動させないように強固な構造体として形成されていた。
【０００７】
しかしながら、従来の梱包部材は、このような強度の大きいファンモータ台に垂直荷重を作用させるように構造とはなっていなかった。発明者は、ここに着目し、強度の大きいファンモータ台を垂直荷重を支持する支持部材として利用するようにすれば、室外機の外周壁面を構成する外板に作用する垂直荷重を軽減することができ、これにより外周壁面を構成する外板の強度を小さくすることができることに気付いた。
【０００８】
本発明は、このような従来技術における課題に鑑み成されたもので、直方体の室外機の上部を保護する上部梱包部材の構造を改良することにより、ケーシング外板の薄肉化を可能とした空気調和機用の梱包部材を提供することを目的とする。
【課題を解決するための手段】
【０００９】
本発明は、上記課題を解決するものであって、請求項１に記載の発明に係る空気調和機用の梱包部材は、直方体の室外機の上部に装着される上部梱包部材を備えた空気調和機用の梱包部材であって、前記室外機は、長手方向の１辺を成す背面に沿って室外側熱交換器が配置されるとともに、この室外側熱交換器の前方に、底板から立設されて天板に至るファンモータ台を有し、前記上部梱包部材は、室外機の長手方向の側部の上部に嵌め込まれる凹部が形成され、この凹部の底面の少なくとも一部において天板と当接するように形成された一対の端部緩衝部材と、前記ファンモータ台の上方の部分においてのみ天板に当接するように形成された中央緩衝部材とを備えていることを特徴とする。
【００１０】
上記構成によれば、倉庫等における段積みにより発生する垂直荷重を、長手方向の端部においてのみ天板を介して外周壁面を構成する外板のみで支持するのではなく、長手方向の中間部において天板を介して強固な強度を有するファンモータ台にても支持するようにしている。これにより、外周壁面を構成する外板に作用する荷重が軽減され、その分外板の強度を小さくすることが可能となるので、外周壁面を構成する外板の板厚を薄肉化することが可能となる。
【００１１】
請求項２記載の発明は、請求項１記載の空気調和機用の梱包部材において、前記ファンモータ台は、前記室外側熱交換器の前方において底板から立設される柱状部材と、この柱状部材の上端に取り付けられるとともに、この柱状部材の上方部から後方へ延びる、上面が平面の平板状部材を備え、前記中央緩衝部材は、この平板状部材における前面側部分の上方部分において天板に当接されるように形成されていることを特徴とする。
【００１２】
上記構成によれば、平板状部材の前面側部分は前記柱状部分により支持されているので、ファンモータ台の強度を有効に生かした状態で、ファンモータ台を支持部材として利用することができる。
【００１３】
請求項３記載の発明は、請求項２記載の空気調和機用の梱包部材において、前記中央緩衝部材は、この平板状部材における上面の縁部内側の中央部分の上方部においてのみ、天板と当接するように形成されていることを特徴とする。
【００１４】
上記構成によれば、中央緩衝部材は、平板状部材における上面の縁部内側の中央部分の上方部においてのみ天板と当接するので、平板状部材の上面の縁部には荷重が作用し難くなり、天板に打痕が形成され難くなる。したがって、段積み中に室外機の天板に打痕が発生することを抑制することができる。
【００１５】
請求項４記載の発明は、請求項２又は３記載の空気調和機用の梱包部材において、前記ファンモータ台における平板状部材は、室外側熱交換器の背面側において、天板における下方に折り曲げられた垂下片部に結合されていることを特徴とする。
【００１６】
上記構成によれば、ファンモータ台の平板状部材が、背面において天板の下方に折り曲げられた垂下片部に結合されるので、ファンモータ台及びケーシングの剛性がより一層向上し、運転中の室外ファンの振動が軽減される。また、これによりファンモータ台の垂直荷重に対する座屈強度が向上する。
【００１７】
請求項５記載の発明は、請求項１〜４の何れか１項に記載の空気調和機用の梱包部材において、前記上部梱包部材は、前記一対の端部緩衝部材間を接続する連結部材を有し、この連結部材は、前記ファンモータ台の上方を通過するように形成され、この連結部材におけるファンモータ台の上方を通過する部分が前記中央緩衝部材として形成されていることを特徴とする。
【００１８】
上記構成によれば、端部緩衝部材と中央緩衝部材とが連結部材により一体的に形成されるので、取扱いが容易となる。また、連結部材と中央緩衝部材とを同一材料により形成すれば、連結部材と中央緩衝部材とを一部品として同一工程で成形加工することができるので、加工コストを軽減することができる。
【００１９】
請求項６記載の発明は、請求項５記載の空気調和機用の梱包部材において、前記連結部材は、複数の部材からなり、前記中央緩衝部材は、前記複数の連結部材のうちの一部の連結部材に形成されていることを特徴とする。
【００２０】
上記構成によれば、複数の連結部材により端部緩衝部材を連結しているので、一体物としての剛性が大きくなり取扱が容易になる。また、複数の連結部材により連結されると、梱包された室外機の長手方向中央部に人が乗るなどの、特別な荷重に対する上部梱包部材の強度が向上する。
【００２１】
請求項７記載の発明は、請求項１〜６記載の空気調和機用の梱包部材において、前記上部梱包部材は、前記端部緩衝部材および中央緩衝部材を適切な位置に配置収納する上トレー部材を有することを特徴とする。
【００２２】
上記構成によれば、上部梱包部材は、前記端部緩衝部材および中央緩衝部材を適切な位置に配置して収納する上トレー部材を有するので、上部梱包部材として一体的に取り扱うことができる。したがって、梱包部材の搬送、保管、室外機に対する梱包部材の取り付け、室外機からの梱包部材の取り外し等の作業が容易になる。
【発明の効果】
【００２３】
本発明によれば、垂直荷重が長手方向の中間部において天板を介して強固な強度を有するファンモータ台により支持されるので、外周壁面を構成する外板に作用する荷重が軽減される。これにより、外周壁面を構成する外板の強度を小さくことが可能となり、惹いては外周壁面を構成する外板の板厚を薄肉化することが可能となる。
【図面の簡単な説明】
【００２４】
【図１】本発明の実施の形態に係る梱包部材が室外機に装着された状態の斜視図である。
【図２】図１の状態から梱包部材を分解した状態の斜視図である。
【図３】同室外機の平面配置図である。
【図４】同実施の形態に係る室外機の、前方から見た分解斜視図である。
【図５】同室外機の天板を取り外した状態の、後方から見た分解斜視図である。
【図６】同室外機における第１外板の説明図であって、（ａ）は同室外機における第１外板の後上方から見た斜視図であり、（ｂ）は（ａ）におけるＡ−Ａ断面図であり、（ｃ）は（ａ）におけるＢ−Ｂ断面図である。
【図７】同室外機におけるファンモータ台の斜視図である。
【図８】同ファンモータ台の部分斜視図であって、（ａ）は上部の斜視図であり、（ｂ）は一部を断面とした下部の斜視図である。
【図９】同ファンモータ台の上部の平板状部材周りの取付状態を示した断面面である。
【図１０】同実施の形態に係る上部梱包部材を上下反転させて表示した斜視図である。
【図１１】同上部梱包部材の分解斜視図である。
【図１２】同上部梱包部材において、上トレー部材に収納される上緩衝部材の斜視図である。
【図１３】同上部梱包部材における天板との当接面を説明するための説明図である。
【発明を実施するための形態】
【００２５】
（全体概要）
以下本発明の実施の形態を、図面を参照しながら説明する。
先ず、本実施の形態に係る梱包部材により梱包された状態の空気調和機について、図１および図２に基づいてその概要を説明する。
【００２６】
本発明に係る梱包部材が適用される空気調和機は、分離形の空気調和機の室外機１である。室外機１は、図１及び図２に示すように、前面に排気グリル１１を備え、前後方向の寸法に比し左右方向の寸法が長い横長の直方体（いわゆるトランク型）のものである。
【００２７】
このような空気調和機を梱包する梱包部材は、図１及び図２から分かるように、室外機１の上部に嵌め込まれる上部梱包部材５０と、室外機１の下部に嵌め込まれる下部梱包部材８０とから成る。また、この梱包部材は、短手方向及び長手方向にそれぞれ２本の結束バンド２，３を巻き付けることによって結束されている。また図示省略しているが、室外機１は、梱包する際にポリエチレン袋に入れられ、塵埃等の付着を防止している。
【００２８】
梱包部材は、例えば、運搬中の室外機１に物が接触する場合や、室外機１が倉庫内等において段積みされた場合に、衝撃や荷重が加えられることにより室外機１のケーシング１０に変形や損傷が発生することを防止するためのものである。本発明に係わる梱包部材は、このような機能に関連し、前後左右の外周壁面を構成する外板の強度を適正にすることを可能とする。対象とする空気調和機は、図１及び図２に示すように、直方体のケーシング１０を備えるとともに、正面側に室外ファンの排気口を成す排気グリル１１を有し、背面及び側面に沿って略Ｌ字状の室外側熱交換器が配置された室外機１である。 
【００２９】
（室外機の構成）
そこで、梱包部材を説明する前に、先ず対象とする室外機１の構成について説明する。
室外機１は、分離形空気調和機の室外機であって、室内機（不図示）に対し冷媒配管で接続される。室外機１は、図１〜５に示すように、略直方体のケーシング１０を備えている。ケーシング１０の内部は、図３に示すように、仕切板１２により左右に２分割され、圧縮機１３、アキュムレータ１４、電装品箱（不図示）等が収納された右側の機械室１５と、室外側熱交換器１６、室外ファン１７、ファンモータ台１８等が収納された送風機室１９とに分割されている。なお、図４の分解斜視図においては、機械室１５内に収納される圧縮機１３、アキュムレータ１４、電装品箱の記載を省略している。
【００３０】
ケーシング１０は、図４に示すように、その底面を構成する底板２１と、上面を構成する天板２２と、前後左右の外周壁面を構成する外板３０とを有する。外周壁面を構成する外板３０は、図４からよく分かるように、第１外板３１と、第２外板３２と、第３外板３３とから構成されている。
【００３１】
底板２１は、図４に図示されるように、台座２３上に設置されてケーシング１０の底面を構成する底部（図２参照）２１ａと、その辺縁部が上方に折り曲げられた立上壁部２１ｂを有する。この立上壁部２１ｂは、第１外板３１、第２外板３２及び第３外板３３からなる外周壁面を構成する外板の下縁部で覆われるように重合され、ネジ２５で適宜固定されている（図２及び図５参照）。
【００３２】
天板２２は、図４及び図５に図示されるように、ケーシング１０の天面を構成する天部２２ａと、その辺縁部が下方に折り曲げられた垂下片部２２ｂとを有する。この垂下片部２２ｂに対しては、第１外板３１、第２外板３２及び第３外板３３からなる外周壁面を構成する外板の上縁付近が段差をもって内側に入り込む上縁部として形成されている。天板の垂下片部２２ｂは、このように外周壁面を構成する外板の上縁部の外側に沿って重合するように形成され、これら外板の上縁部に対しネジ２６で適宜固定されている（図２参照）。
【００３３】
第１外板３１は、図３及び図４からよく分かるように、左後コーナ部３５から送風機室１９の側面、左前コーナ部３６を経由して送風機室１９の前面に至る外板を構成する。また、図４からよく分かるように、この第１外板３１における前面部には排気口３７が設けられ、この排気口３７には排気グリル１１が取り付けられている。また、図５及び図６からよく分かるように、この第１外板３１における側面部には、縦桟を有さない３個の大きな開口部３８からなる外気吸入口３９が設けられている。
【００３４】
第２外板３２は、図３及び図４からよく分かるように、機械室１５の前面から側面における前面側部分にかけての外板を構成する。第２外板３２には、右前コーナ部４１が含まれる。この第２外板３２は比較的容易に着脱可能とされ、これを取外すと内部は機械室１５となっている。
【００３５】
第３外板３３は、図３及び図４からよく分かるように、機械室１５の側面における背面側部分から背面にかけての外板を構成する。第３外板３３には、右後コーナ部４２が含まれる。
【００３６】
なお、図５からよく分かるように、第１外板３１の背面側端部と第３外板３３の背面側端部との間の背面部分には、室外側熱交換器１６の外気吸入面が面しており、外板が設けられていない。この外板なしの部分は、背面の外気吸入口４３として利用されている。
【００３７】
そして、これらケーシング１０を構成する底板２１、天板２２、並びに、第１外板３１、第２外板３２及び第３外板３３から成る外周壁面を構成する外板は、それぞれ鉄板製であって、板金プレス加工により成形されている。
【００３８】
そして、第１外板３１、第２外板３２及び第３外板３３から成る外周壁面を構成する外板の上縁部における、天板２２の内面(すなわち下面)と当接する部分には、上端縁を水平方向に折り曲げた折曲部が形成されている。すなわち、図３、図４及び図６に示すように、第１外板３１の上縁部には、外気吸入口３９の中心、左後コーナ部３５及び左前コーナ部３６の上方部を除いて折曲部３１ａ，３１ｂ，３１ｃが形成されている。この場合、折曲部３１ａ，３１ｂ，３１ｃは、例えば図６(ｂ)に示すように天板２２の下面と当接している。しかし、折曲部３１ａ，３１ｂ間の上縁部は、図６(ｃ)に示すように、天板２２の下面との間に隙間が形成されている。また、第１外板３１の側面部の上縁部に形成される折曲部３１ａ，３１ｂは、構造上から前後方向が小さな寸法になっている（図６（ａ）〜（ｃ）参照）。
【００３９】
また、第２外板３２の上縁部には、図３及び図４に示すように、右前コーナ部４１の上方部を除く前面部及び側面部に折曲部３２ａ，３２ｂが形成されている。また、第３外板３３の上縁部には、図３及び図４に示すように、右後コーナ部４２の上方部を除く前面部及び側面部に折曲部３３ａ，３３ｂが形成されている。上記においてコーナ部の上方に折曲部が形成されていないのは、板金加工が難しいためである。また、外気吸入口３９の中心部の上方部に折曲部が形成されていないのは、外気吸入口３９の形成により座屈強度の弱くなっている外板部分に垂直強度が掛からないようにするためである。
【００４０】
室外側熱交換器１６は、いわゆるマイクロチャネル熱交換器である。すなわち、この室外側熱交換器１６は、アルミニウム製の扁平多穴管１６ａ（図９参照）と、アルミニウム製の伝熱フィン１６ｂ（図９参照）と、アルミニウム製のヘッダ集合管（図３参照）とにより構成されている。
【００４１】
アルミニウム製の扁平多穴管１６ａは、図９に示すように、内部に複数の微細通路が複数形成された扁平状の伝熱管である。この扁平多穴管１６ａは、伝熱面となる平面状の外表面が水平となるように、上下方向に一定の間隔で複数配列されている。
【００４２】
アルミニウム製の伝熱フィン１６ｂは、図９に示すように、板状の伝熱フィンであって、前方から扁平多穴管１６ａを挿入することができるように、切れ目が形成されている。また、伝熱フィン１６ｂは、上下方向に複数配列されている扁平多穴管１６ａ間に対し、扁平多穴管１６ａの平面状の外表面と垂直に交差して密着するように一定のピッチで多数配列されている。
【００４３】
アルミニウム製のヘッダ集合管は、図３に示すように、アルミニウム製の円筒パイプ構造のものであって、各扁平多穴管１６ａの送風機室側の端部が差し込まれた第１ヘッダ集合管１６ｃと、各扁平多穴管１６ａの機械室側の端部が差し込まれた第２ヘッダ集合管１６ｄの二つのヘッダ集合管を備えている。
【００４４】
第１ヘッダ集合管１６ｃ及び第２ヘッダ集合管１６ｄは、非アルミニウム金属とアルミニウム金属との間で腐食が起こることを防ぐために非金属部材としての樹脂カバーを介在させて、それぞれ第１外板３１および第３外板３３に取り付けられている。なお、この明細書では、第１ヘッダ集合管１６ｃ及び第２ヘッダ集合管１６ｄについての具体的な取付構造の図示及びその説明を省略する。
【００４５】
送風機室１９内に設けられた室外ファン１７は、図３〜図５から分かるように、背面側の外気吸入口４３（図５参照）及び側面側の外気吸入口３９から室外側熱交換器１６を経由して送風機室１９内に空気（外気）を吸い込むとともに、その空気を排気口３７から排気するものである。室外ファン１７により循環される外気は、室外側熱交換器１６の熱交部を通る際に伝熱管及びフィンを介して伝熱管内の冷媒と熱交換を行う。
【００４６】
室外ファン１７は、軸流ファンであり、図３及び図７から分かるように、ファンモータ１７ａが送風機室１９内に設けられたファンモータ台１８に取り付けられることにより、室外側熱交換器１６の前面側の所定位置に配置されている。
【００４７】
ファンモータ台１８は、主としてファンモータ１７ａを所定位置に支持する部材であるが、付加機能として室外側熱交換器１６をも支持している。
ファンモータ台１８は、図４、図７、図８等に示すように、底板２１の底部２１ａに固定される基礎部材１８１と、基礎部材１８１に下端部が固定された２本の柱状部材１８２と、柱状部材１８２の上端に取り付けられる平板状部材１８３とからなる。なお、これらは、それぞれ板金加工により形成された鉄板製の部材である。
【００４８】
基礎部材１８１は、底板２１の底部２１ａ（図４参照）に当接する平板部１８１ａとこの平板部１８１ａの縁部に形成された立上片１８１ｂとを有し、平板部１８１ａにおいてボルトナット１８１ｃにより底板２１の底部２１ａに固定されている。
【００４９】
柱状部材１８２は、図８に示すように、チャンネル状の部材であって、チャンネル状を形成する各面には、縦長のリブ１８２ａが形成されている。また、この柱状部材１８２は、ピン１８２ｂとネジ１８２ｃにより基礎部材１８１の立上片１８１ｂに固定されている（図８（ｂ）参照）。また、柱状部材１８２の高さ方向の中間位置には、図７に示すように、ファンモータ取付板１７ｂが取り付けられ、この取付板にファンモータ１７ａが取り付けられている。
【００５０】
平板状部材１８３は、図９に示すように、上面を平板状にするとともに前面及び左右の側面に折曲部が形成された部材であって、前面の折曲部１８３ａ及び側面の折曲部１８３ｂにおいて、ネジ１８２ｄ，１８２ｅにより柱状部材１８２に固定されている。また、平板状部材１８３は、柱状部材１８２の前端から、室外側熱交換器１６の上端面を越えて天板２２の垂下片部２２ｂの内面に当接するまで後方に伸びている。
【００５１】
そして、図９に示すように、平板状部材１８３の後縁に形成された折曲部１８３ｃが天板２２の垂下片部２２ｂに当接し、ネジ２７により天板２２に固定されている。また、平板状部材１８３の前縁から後縁に至る間には、室外側熱交換器１６の前後に位置する２個の折曲部１８３ｄ，１８３ｅが形成されている。これら折曲部１８３ｄ，１８３ｅは室外側熱交換器１６の前後方向の移動を規制するものであって、それぞれの室外側熱交換器１６側の面には、非アルミニウム金属とアルミニウム金属との間で起こる腐食を防止するための樹脂板１８３ｆ，１８３ｇが貼り付けられている。また、室外側熱交換器１６の上端面の上方に位置する平板状部材１８３の下面には、同様の腐食を防止するための樹脂板１８３ｈが貼り付けられており、室外側熱交換器１６の上方への移動を規制している。
【００５２】
（上部梱包部材の構成）
上部梱包部材５０は、図１０の分解図に示すように、箱状に形成された段ボール製の上トレー部材５１と、４つのパーツに分割された発泡スチロール製の上緩衝部材５２とを備えている。
【００５３】
上トレー部材５１は、長方形の天面５３と、天面５３の４辺縁からそれぞれ垂直方向に垂下された４つの側面、すなわち、長手方向の側面５４及び短手方向の側面５５とを有している。そして、長手方向及び短手方向における天面５３と側面５４，５５との角部には、平面視四隅の近傍にそれぞれ凹陥部５６が設けられている。この凹陥部５６は、図１に示したように結束バンド２．３を巻きつけるためのものであって、上トレー部材５１の長手方向及び短手方向の各辺にそれぞれ２個ずつ形成されている。また、この凹陥部５６には、上緩衝部材５２に形成される突起部５８ａ，５９ａ（図１１参照）を嵌合させるための嵌合穴５７が形成されている。
【００５４】
上緩衝部材５２を構成する４つのパーツは、図１１に示すように、上トレー部材５１の両側に配置される一対の端部緩衝部材５８，５９と、両端部緩衝部材５８，５９間を結合する２本の連結部材６０，６１とである。一対の端部緩衝部材５８，５９のうち一方の端部緩衝部材５８は室外機１の上部における長手方向の送風機室側端部を保護するように取り付けられ、他方の端部緩衝部材５９は室外機１の上部における長手方向の機械室側端部を保護するように取り付けられる。
【００５５】
そのために、各端部緩衝部材５８，５９は、図１２に示すように、室外機１の上部における長手方向の各端部の上面形状に一致する凹部６２，６３が形成されている。そして、この凹部６２，６３に室外機１の長手方向の端部の上面部分が密着して嵌め込まれることにより、各端部緩衝部材５８，５９が上緩衝部材５２を構成する部材として一体的に室外機１の上部に取り付けられている。
【００５６】
各端部緩衝部材５８，５９に形成される凹部６２，６３の底面は、従来の緩衝部材におけるように全体が一様な高さの平面ではなく、天板２２と全体的に当接することを回避するために、部分的に底面の高さを低くした非当接面６４，６５を有している。これは、室外機１が倉庫等において段積みされた場合に、天板２２と当接する当接面６６，６７を介しこの当接面６６，６７の下方を支持する外周壁面を構成する外板に対し垂直荷重が強く作用することに鑑み、外周壁面を構成する外板の構造を加味して天板２２との当接面６６，６７を調整するものである。
【００５７】
室外機１の上部における長手方向の送風機室側に取り付けられる端部緩衝部材５８は、第１外板３１の側面部に形成された外気吸入口３９の中心部分を含む大部分の上方に位置する部分において、凹部６２の底面を低くして天板２２との当接を回避している。このために、この端部緩衝部材５８においては、前後方向の中間部分の底面が低い非当接面６４として形成され、前後の一定巾寸法部において天板２２と当接する当接面６６ａ，６６ｂとして構成されている。
【００５８】
これは、第１外板３１が大きな開口部からなる外気吸入口３９により弱くなっていることを考慮し、外気吸入口３９が形成されている部分に荷重が加わりにくいようにしたものである。図１３に示すように、送風機室側の端部緩衝部材５８における凹部６２の非当接面６４の前後方向の巾寸法は、第１外板３１の側面部の上縁部に形成された折曲部３１ａ，３１ｂ間の寸法に略一致している。この寸法は、平面的に見て、外気吸入口３９の中心部を含み、外気吸入口３９の前後方向の寸法の大部分を占めている。
【００５９】
室外機１の上部における長手方向の機械室側に取り付けられる端部緩衝部材５９は、図１２及び図１３から分かるように、第２外板３２の前面側上方部の天板２２と当接しない非当接面６５ａを有している。これは、第２外板３２が着脱容易に取り付けられているため、大きな垂直荷重を支えることが難しいという構造に対応し、第２外板３２に大きな垂直荷重がかかることを回避したものである。また、この端部緩衝部材５９は、図１２及び図１３から分かるように、室外側熱交換器１６の第２ヘッダ集合管１６ｄの上方部の天板２２と当接しない非当接面６５ｂを有している。これは、室外側熱交換器１６には従来の熱交換器に一般的に設けられている強度部材を成す管板が存在しないこと、及び、垂直荷重によりアルミニウム製の第２ヘッダ集合管１６ｄと鉄板製の天板２２とが接触することを回避しなければならないことを考慮したものである。このように、機械室側に取り付けられる端部緩衝部材５９の非当接面６５は、二つの非当接面６５ａ，６５ｂを備えているが図１２から分かるように、長手方向の中央部側で連結している。
【００６０】
２本の連結部材６０、６１は、両端部緩衝部材５８，５９と同一の材料により形成されたものであって、図１１に示すように、両端部緩衝部材５８，５９の上トレー部材側の面に形成された溝部６８，６９に対し、その端部が嵌め込まれることにより両端部緩衝部材５８，５９と結合されている。２本の連結部材６０，６１は、このような取付により左右方向に前後して平行に配置されている。
【００６１】
２本の連結部材６０，６１のうちの背面側の連結部材６０は、図１３からよく分かるように、ファンモータ台１８の平板状部材１８３の前面側部分の上方部分を通過する位置に配置されている。そして、この連結部材６０は、ファンモータ台１８の上方を通過する部分においてのみ天板２２と当接する当接面７０が形成され、他の部分においては天板との間に隙間が存在するように形成されている。この当接面７０を形成する部分は、本実施の形態の上緩衝部材５２における中央緩衝部材７１を形成している。中央緩衝部材７１は、この実施の形態においては連結部材６０と一体の成形加工により製作されている。
【００６２】
上記のように、中央緩衝部材７１における当接面７０は、ファンモータ台１８の前面側部分、すなわち、柱状部材１８２の上方に位置する部分に設定されている。これにより垂直加重をファンモータ台１８の柱状部材１８２で支持するようにしている。また、中央緩衝部材７１の当接面７０は、この実施の形態においては、平面的に見て平板状部材１８３の縁部から外側に食み出さないようにしている。これにより、平板状部材１８３の縁部に垂直加重が強く作用することを回避し、段積み中に天板２２に打痕が発生することを防止している。
【００６３】
また、２本の連結部材６０，６１のうちの前面側の連結部材６１は、図１３からよく分かるように、第１外板３１および第２外板３２の上縁部の上方を通過するように形成されている。そして、その中間に位置する第１外板３１の機械室側端部の上方部において天板２２に当接する当接面７２が形成され、他の部分においては天板２２との間に隙間が存在するように形成されている。この当接面７２を形成する部分は、本実施の形態の上緩衝部材５２における前面右側緩衝部材７３を成す。前面右側緩衝部材７３は、この実施の形態においては連結部材６１と一体成形されている。
【００６４】
（下部梱包部材の構成）
下部梱包部材８０は、図２の分解図に示すように、箱状に形成された段ボール製の下トレー部材８１と、発泡スチロール製の下緩衝部材８２とを備えている。下緩衝部材８２は、室外機１の台座２３が載置される凹部８３を備える他、基本的には室外機１の下部の形状に合う凹凸が形成されており、ここではその詳細の説明を省略する。
【００６５】
（作用）
次に、以上のように構成された空気調和機用の梱包部材の作用について述べる。
空気調和機用の梱包部材は、室外機１の上部及び下部を保護する上部梱包部材５０と下部梱包部材８０とを備えているので、室外機１の上部及び下部については保管中及び搬送中において、他の物体との接触することによる損傷から室外機１を保護することができる。
【００６６】
また、倉庫等において室外機１が段積みされた場合に受ける垂直荷重は、上部梱包部材５０を介して天板２２に作用する。この場合、上部梱包部材５０に作用する垂直荷重は、上緩衝部材５２が天板２２に当接している当接面６６，６７，７０，７２を介して天板２２に作用する。しかし、天板２２に当接していない非当接面６４，６５を介しては、天板２２に垂直荷重は作用しない。したがって、上緩衝部材５２と天板２２との間に、当接面６６，６７，７０，７２と非当接面６４，６５とが混在して存在していると、天板２２に作用する荷重は、当接面６６，６７，７０，７２部分において大きくなり、非当接面６４，６５部分において小さくなる。
【００６７】
そして、天板２２に作用した垂直荷重は、天板２２を介してその下部の支持部材に作用する。この場合、当接面６６，６７，７０，７２の下方の支持部材には大きな力が作用し、非当接面６４，６５の下方の支持部材に作用する荷重は小さくなる。また、天板２２に接触していない支持部材に対しては垂直加重が直接的には加わらない。なお、この実施の形態における支持部材は、室外機１の外周壁面を構成する外板及びファンモータ台１８である。
【００６８】
ところで、直方体（いわゆるトランク型）の室外機１は、一般に、室外機１の前後左右の外周壁面を構成する外板により、加えられる垂直荷重を支持している。しかし、この外板は、座屈荷重の強度の大きいところと小さいところがあり、構造的に強度が一様にはなっていない。
【００６９】
そこで、本実施の形態に係る室外機１では、この点に着目して当接面６６，６７，７０，７２を適切に調節することにより天板２２を支持する外板に対し、座屈強度の弱い部分には大きな加重を作用させないようにしている。
【００７０】
先ず、室外機１の外周壁面を構成する外板についてみると、送風機室１９の背面には外板が取り付けられていないので、この部分の天板２２には、基本的には垂直荷重を掛けないようにしている。このため、送風機室１９の背面の上方部には、上緩衝部材５２と天板２２との当接面を設けていない。
【００７１】
また、第１外板３１の側面部には、大きな開口部３８からなる外気吸入口３９が形成されているため、外気吸入口３９の中心部を通る部分については、垂直荷重に対する強度が弱い。そこで、送風機室側の端部緩衝部材５８の凹部６２においては、外気吸入口３９の中心部の上方部を含む外気吸入口３９の上方大部分を非当接面６４としている。これにより、第１外板３１の側面部においては、外気吸入口３９の存在する部分に大きな垂直加重が作用しないように構成している。
【００７２】
したがって、第１外板３１においては、左後コーナ部３５および左前コーナ部３６の近傍においてのみ天板２２を支持するようにしている。このため、コーナ部に作用する力が大きくなる。そこで、室外側熱交換器１６の第１ヘッダ集合管１６ｃと第１外板３１における左前コーナ部３６の近傍とを樹脂カバーを介してブラケットにより固定し、これにより左前コーナ部３６の強度を強化している。なお、この部分の具体的な取付構造の図示及びその説明をここでは省略する。
【００７３】
また、第２外板３２は、簡易に着脱できるように取り付けられている。このため、第２外板３２には大きな垂直荷重を作用させることができない。そこで、機械室側の端部緩衝部材５９の凹部６３においては、第２外板３２の上方部分を非当接面６５ａとしている。この結果、機械室１５の前面側角部、すなわち、右前コーナ部４１に当接面が存在しなくなり、垂直荷重の支持が平面的に見てアンバランスになる。これを解決するために、第１外板３１の前面部分における機械室側端部に近い部分において、上緩衝部材５２の当接面７２を構成するために、前面側の連結部材６１の中間部に前面右側緩衝部材７３を形成している。
【００７４】
また、従来の直方体の室外機１においては、外周壁面を構成する外板のみにより垂直荷重が支持されているが、この発明においては、ファンモータ台１８という強度部材の存在に着目し、垂直荷重をこのファンモータ台１８においても支持するようにしている。このために、中央緩衝部材７１を設け、天板２２との当接面７０をファンモータ台１８の上方部としている。これにより、外周壁面を構成する外板に受け持たせる垂直加重を軽減している。
【００７５】
また、中央緩衝部材７１と天板２２との当接面７０は、天板２２の中央部に形成されることになる。このため、当接面７０を平板状部材１８３の縁部から食み出すような大きさにした場合は、段積み中に平板状部材１８３の縁部をなぞる打痕を発生する恐れがある。そこで当接面７０を、平板状部材１８３における前面側部分であって上面の縁部より内側の中央部の上方部分においてのみ、天板２２に当接するようにしている。このようにすると、平板状部材１８３の縁部に作用する力が軽減され打痕の発生が抑制される。
【００７６】
（効果）
本実施の形態に係る空気調和機用の梱包部材は、以上のように構成されているので次のような効果を奏することができる。
【００７７】
（１）倉庫等における段積みにより発生する垂直荷重を、長手方向の中間部において天板２２を介して強固な強度を有するファンモータ台１８にても支持するようにしている。これにより、外周壁面を構成する外板に作用する荷重が軽減されるので、その分外板の強度を小さくすることが可能となり、惹いては外周壁面を構成する外板の板厚を薄肉化することが可能となる。
【００７８】
（２）ファンモータ台１８は、室外側熱交換器１６の前方において底板２１から立設される柱状部材１８２と、この柱状部材１８２の上端に取り付けられて、柱状部材１８２の上方部から後方へ延びる平板状部材１８３を備えている。そして、この平板状部材１８３における前面側部分の略上方部分において、中央緩衝部材７１が天板２２に当接されるように形成されている。したがって、ファンモータ台１８の強度を有効に生かした状態で、ファンモータ台１８を支持部材として利用することができる。
【００７９】
（３）中央緩衝部材７１は、ファンモータ台１８の平板状部材１８３における上面の縁部内側の中央部分の上方部においてのみ天板２２と当接するので、平板状部材１８３の上面の縁部に強い荷重が作用させないようにしている。これにより、段積み中に室外機１の天板２２に平板状部材１８３の形の打痕の発生を抑制している。
【００８０】
（４）ファンモータ台１８の平板状部材１８３が、背面において天板２２の下方に折り曲げられた垂下片部２２ｂに結合されるので、ファンモータ台１８及びケーシング１０の剛性がより一層向上し、運転中の室外ファン１７の振動が軽減される。また、これにより、ファンモータ台１８の垂直荷重に対する座屈強度が向上する。
【００８１】
（５）端部緩衝部材５８．５９と中央緩衝部材７１とが連結部材６０，６１により一体的に形成されるので、取扱いが容易となる。また、連結部材６０と中央緩衝部材７１とを同一材料により形成しているので、連結部材６０と中央緩衝部材７１とを一部品として同一工程で成形加工でき、加工コストを軽減することができる。
【００８２】
（６）端部緩衝部材５８，５９が複数の連結部材６０，６１により連結されているので、一体剛性が大きくなり取扱が容易になる。また、複数の連結部材６０，６１により連結されることにより、梱包された室外機１の長手方向中央部に人が乗るなどの、特別な荷重に対する上部梱包部材５０の強度が向上する。
【００８３】
（７）上部梱包部材５０は、端部緩衝部材５８，５９および中央緩衝部材７１を適切な位置に配置して収納する上トレー部材５１を有するので、上部梱包部材５０として一体的に取り扱うことができる。したがって、梱包部材の搬送、保管、室外機１に対する梱包部材の取り付け、室外機１からの梱包部材の取り外し等の作業などが容易になる。
【００８４】
（８）上緩衝部材５２は少なくとも外気吸入口３９の中央部分の上方に位置する天板２２には当接しないように構成されているので、当該梱包部材により梱包された室外機１が倉庫等において段積みされる場合には、外気吸入口３９の中央部分に垂直荷重が加わりにくくなる。このため垂直荷重は、前後左右の外周壁面を構成する外板における構造的に強度の大きい部分において支持されることになる。この点からも、外周壁面を構成する外板の板厚を従来のものより薄く設定することが可能となる。
【００８５】
（９）外気吸入口３９の上部に嵌め込まれる端部緩衝部材５８における当接面６６は、外気吸入口３９の中央部分の上方に位置する天板２２には当接しないように構成されている。また、この端部緩衝部材５８における当接面６６として、第１外板３１における背面と側面との左後コーナ部３５及び側面と前面との左前コーナ部３６の近傍の上方部を含むように形成されている。したがって、第１外板３１においては、外気吸入口３９が形成されている部分に作用する垂直荷重を軽減することができ、この部分における垂直荷重による座屈変形を回避しやすくすることができる。これにより、前後左右の外周壁面を構成する外板の板厚を軽減することが可能となる。
【００８６】
（変形例）
本発明に係る梱包部材は、上記実施の形態に限定されることなく、本発明の請求の範囲内で適宜変更することが可能であり、例えば以下の変形例も適用可能である。また、以下の変形例については、異なる変形例同士を適宜互いに組み合わせて適用してもよい。
【００８７】
・前記実施の形態においては、中央緩衝部材７１は、ファンモータ台１８の平板状部材１８３の前面側部分であって、縁部から食み出さない部分の上方部においてのみ天板２２と当接するように構成されているが、本願発明は、このような実施の形態に限定されない。すなわち、中央緩衝部材７１は、平板状部材１８３の全体或いはこれより若干大きい面積の上方部分で天板と当接するものでもよい。
【００８８】
・また、中央緩衝部材７１は、平板状部材１８３の前面側部分の上方部分において天板２２と当接しているものであって、平板状部材１８３の縁部より若干程度であれば食み出した状態で天板２２と当接するものであってもよい。
【００８９】
・また、中央緩衝部材７１は、連結部材６０と一体的に形成されているが、連結部材６０と別体に形成され、組立時に一体化されるものでもよい。
・また、中央緩衝部材７１は、連結部材６０とは係わりなく取り付けられるように別体に構成されたものとしてもよい。この場合、連結部材６０を省略したものでもよい。
【００９０】
・前記実施の形態においては、上緩衝部材５２は、四つのパーツから構成されていたが、これら四つのパーツからなる部材が当初から一体的に形成されたものであってもよい。
・また、連結部材６０，６１の本数は２本に限定されない。
【００９１】
・前記実施の形態における室外機１は、背面から左側面にかけてＬ字形に室外側熱交換器１６が形成されているが、このようなものでなく、室外側熱交換器が背面のみに直線的に形成された室外機を対象としてもよい。
【００９２】
・また、室外機１は、前面から見て機械室１５が右側に形成され、送風機室１９が左側に形成されていたが、前記実施の形態のものと左右対称的に構成されたものでもよい。
・前記実施の形態においては、室外側熱交換器１６は、いわゆるマイクロチャネル熱交換器が使用されているが、このような熱交換器ではなく、Ｕ字形の伝熱管に平板状の伝熱フィンを取り付けたいわゆるクロスフィンコイル式の熱交換器であってもよい。
【００９３】
・前記実施の形態においては、ファンモータ台１８は、室外側熱交換器１６の前後方向の移動、上方向への異動を規制する構造とされていたが、このような機能を備えていないものでもよい。
【００９４】
・また、ファンモータ台１８は、平板状部材１８３の後部が天板２２の垂下片部２２ｂに固定されていたが、このように固定されているものには限らない。
・前記実施の形態においては、結束バンド２，３は、室外機１の長手方向及び端手方向にそれぞれ２本かけられていたが、室外機１の大きさや形状によりこれら本数を適宜変更してもよい。
【産業上の利用可能性】
【００９５】
・本発明は、直方体（いわゆるトランク型）の室外機の梱包部材として有用なものであり、業務用、家庭用何れの用途の室外機にも適用できる。
【符号の説明】
【００９６】
１…室外機、１６…室外側熱交換器、１８…ファンモータ台、２１…底板、２２…天板、２２ｂ…垂下片部、５０…上部梱包部材、５１…上トレー部材、５８，５９…端部緩衝部材、６０，６１…連結部材、６２，６３…凹部、７１…中央緩衝部材、１８２…柱状部材、１８３…平板状部材。
【図１】
0005637173.tif 000002
【図２】
0005637173.tif 000003
【図３】
0005637173.tif 000004
【図４】
0005637173.tif 000005
【図５】
0005637173.tif 000006
【図６】
0005637173.tif 000007
【図７】
0005637173.tif 000008
【図８】
0005637173.tif 000009
【図９】
0005637173.tif 000010
【図１０】
0005637173.tif 000011
【図１１】
0005637173.tif 000012
【図１２】
0005637173.tif 000013
【図１３】
0005637173.tif 000014